(57)【要約】【課題】遊技機における施錠機構、リフトガイド機構および開閉検出機構の配置関係に関連を持たせ、それらの要素の折り曲げ加工手数を少なくする。【解決手段】前扉２の開閉側を閉位置で持ち上げるリフトガイド機構４２と、前扉２を閉位置で筐体１に施錠する施錠機構３９とを備える。リフトガイド機構４２は、前扉２側に設けたローラ４４と筐体１側に設けたローラ受け金具４５とで構成し、施錠機構３９は、前扉２側に設けたフック６８と、筐体１側に設けたフック止め７０とで構成する。そのローラ受け金具４５の下面側に、金属フレームを折り曲げて形成した折り曲げ部６２を設け、この折り曲げ部６２を、ローラ受け金具４５の下面を支持する補強板と施錠機構３９のフック止め７０として兼用する。【選択図】図７
2011067692.tif 000002
【特許請求の範囲】
【請求項１】
前面側が開放された筐体と、ヒンジにより枢着され前記筐体の開口を開閉可能に覆う前扉とを備えた遊技機において、
前記前扉のヒンジとは反対側である開閉側を閉位置で少し持ち上げるためのリフトガイド機構と、前記前扉が閉じた閉位置を検出する開閉検出機構とを備えており、
前記リフトガイド機構は、前記前扉側に設けられた被ガイド部材と、前記筐体側に設けられ、前記前扉を閉じるときに前扉側の前記被ガイド部材が乗り上げて、前記前扉の開閉側をヒンジ側に対して少し持ち上げるように作用するリフトガイド部材とを有し、
前記開閉検出機構は、前記前扉側に設けた作用片と、前記筐体側に設けられ、前記前扉が閉位置に来たとき前記作用片により検出動作するセンサとを有し、
前記リフトガイド部材の下面側には前記リフトガイド部の下面を支持する補強板として機能する折り曲げ部が設けられ、この前記折り曲げ部に前記センサが取り付けられている、ことを特徴とする遊技機。
【請求項２】
前記折り曲げ部は、前記リフトガイド部材の下面に固定され、前記下面から一体的に垂下している、ことを特徴とする請求項１に記載の遊技機。
【請求項３】
前記リフトガイド機構における前記被ガイド部材がローラからなり、前記リフトガイド部材は前記ローラが乗り上げるローラ受け金具からなる、ことを特徴とする請求項１または２に記載の遊技機。
【請求項４】
前記ローラ受け金具が、前記筐体の前側から奥側に延在するガイド板と、前記ガイド板の一側を曲げ加工して形成した起立部とを備え、このガイド板の下面に、前記折り曲げ部が、前記ガイド板の下面および前記筐体の側板の面にそれぞれ直交するように設けられている、ことを特徴とする請求項３に記載の遊技機。
【請求項５】
前面側が開放された筐体と、ヒンジにより枢着され前記筐体の開口を開閉可能に覆う前扉とを備えた遊技機において、
前記前扉のヒンジとは反対側である開閉側に、前記前扉を閉位置で前記筐体に施錠する施錠機構と、前記前扉が閉じた閉位置を検出する開閉検出機構とを備えており、
前記施錠機構は、前記前扉側に設けられ、鍵により力伝達機構を介して操作されて施錠位置と開錠位置とに変位するフックと、前記筐体側に設けられ、前記施錠位置にて前記フックが掛け止められるフック止めとを有し、
前記開閉検出機構は、前記前扉側に設けた作用片と、前記筐体側に設けられ、前記前扉が閉位置に来たとき前記作用片により検出動作するセンサとを有し、
前記フック止めは前記センサの取り付け部を兼ねている、ことを特徴とする遊技機。
【請求項６】
前記開閉検出機構の前記センサが、透過型または反射型のフォトインタラプタからなり、前記前扉が閉位置に来たとき前記作用片により前記フォトインタラプタの光が遮光されることで検出動作する、ことを特徴とする請求項５に記載の遊技機。
【請求項７】
前記折り曲げ部の面内領域には、前記センサ取付け部として取付け穴が形成されており、その取付け穴に前記フォトインタラプタの取付け脚が着脱可能に取り付けられている、ことを特徴とする請求項６に記載の遊技機。
【発明の詳細な説明】
【技術分野】
【０００１】
本発明は、回胴式遊技機や弾球遊技機などの遊技機、特にその前扉の開閉操作用構造に関するものである。
【背景技術】
【０００２】
一般に、回胴式遊技機や弾球遊技機などの遊技機においては、前面側が開放された矩形状の筐体における側縁の一側に、前扉の側縁の一側をヒンジにより枢着し、この前扉で筐体の開口を開閉可能に覆うようにした前扉開閉構造を有している。
【０００３】
この前扉開閉構造において、従来、前扉における側縁の他側（開閉側）を閉位置で筐体に施錠する施錠機構を設けること、および、自重により下がった前扉の開閉側を閉位置で少し持ち上げるためのリフトガイド機構を設けることが知られている（下記特許文献１参照）。
【０００４】
上記した前扉の施錠機構は、鍵（手持ちキー）の開方向への回転に連動して動く力伝達機構により、最終的に前扉側と筐体側を固定しているフックがフック止めから外れ、解錠されるように構成される。
【０００５】
また、リフトガイド機構は、前扉を閉じるときに、筐体側に設けたリフトガイド部材であるローラ受け金具に、前扉側に設けた被ガイド部材としてのローラが乗り上げて、前扉の開閉側をヒンジ側に対して少し持ち上げ、これにより前扉を筐体側に円滑に押し込め得るように構成されている。
【０００６】
また、前扉を確実に閉じた閉位置を光学的に検出する開閉検出機構も設けられる。この開閉検出機構は、筐体側にセンサ取付け金具を設け、これに取り付けた光センサの光を、前扉が閉位置に来たとき、前扉側に設けた遮光片が遮断するように構成される。
【先行技術文献】
【特許文献】
【０００７】
【特許文献１】特開２００７−２５２４９０号公報
【発明の概要】
【発明が解決しようとする課題】
【０００８】
しかし、従来は、上記した施錠機構、リフトガイド機構および開閉検出機構が、それぞれに関連を持たせることなく設けられる。
【０００９】
すなわち、施錠機構、リフトガイド機構および開閉検出機構は、次のようにして個別に設けられる。筐体側における要素として、施錠機構のフック止めは、金属フレームの金属板を折り曲げ加工することで設けられる。リフトガイド機構のローラ受け金具は、別体の金属板を所定の形に折り曲げ加工することで形成され、これを上記金属フレームに取り付けることで設けられる。さらに、開閉検出機構の光センサを取り付けるためのセンサ取付け用金具は、上記金属フレームの別の箇所を曲げ加工することで設けられる。
【００１０】
このため、従来の開閉操作用構造では、フック止めとローラ受け金具、さらにセンサ取付け用金具を、それぞれ専用の機能形状あるいは取付け部品の形状となるように、独立に曲げ加工する必要があり、個々に折り曲げ加工するのに手数がかかっていた。
【００１１】
そこで本発明の目的は、フック止めとローラ受け金具、さらにはセンサ取付け用金具の折り曲げ加工の手数を少なくした開閉操作用構造の遊技機を提供することにある。
【課題を解決するための手段】
【００１２】
本発明の上記目的は、下記の手段によって達成される。
【００１３】
（１）前面側が開放された筐体と、ヒンジにより枢着され前記筐体の開口を開閉可能に覆う前扉とを備えた遊技機において、
前記前扉の前記ヒンジとは反対側である開閉側を閉位置で少し持ち上げるためのリフトガイド機構と、前記前扉を閉位置で前記筐体に施錠する施錠機構とを備えており、
前記リフトガイド機構は、前記前扉側に設けられた被ガイド部材と、前記筐体側に設けられ、前記前扉を閉じるときに前記前扉側の前記被ガイド部材が乗り上げて、前記前扉の開閉側をヒンジ側に対して少し持ち上げるように作用するリフトガイド部材とを有し、
前記施錠機構は、前記前扉側に設けられ、鍵により力伝達機構を介して操作されて施錠位置と開錠位置とに変位するフックと、前記筐体側に設けられ、前記施錠位置にて前記フックが掛け止められるフック止めとを有し、
前記リフトガイド部材の下面側には、金属フレームを折り曲げ加工して形成した折り曲げ部が設けられ、この折り曲げ部が前記リフトガイド部材の下面を支持する補強板と前記施錠機構の前記フック止めとを兼ねている、ことを特徴とする遊技機。
【００１４】
（２）前記前扉が閉じた閉位置を検出する開閉検出機構をさらに備えており、
前記開閉検出機構は、前記前扉側に設けた作用片と、前記筐体側に設けられ、前記前扉が閉位置に来たとき前記作用片により検出動作するセンサとを有し、
前記センサは前記折り曲げ部に取り付けられている、ことを特徴とする上記（１）に記載の遊技機。
【００１５】
（３）前記折り曲げ部は、前記リフトガイド部材の下面に固定され、前記下面から一体的に垂下している、ことを特徴とする上記（１）または（２）に記載の遊技機。
【００１６】
（４）前記リフトガイド機構における前記被ガイド部材がローラからなり、前記リフトガイド部材は前記ローラが乗り上げるローラ受け金具からなる、ことを特徴とする上記（１）〜（３）のいずれかに記載の遊技機。
【００１７】
（５）前記ローラ受け金具が、前記筐体の前側から奥側に延在するガイド板と、前記ガイド板の一側を曲げ加工して形成した起立部とを備え、このガイド板の下面に、前記補強用の折り曲げ部が、前記ガイド板の下面および前記筐体の側板の面にそれぞれ直交するように設けられている、ことを特徴とする上記（４）に記載の遊技機。
【００１８】
（６）前記開閉検出機構の前記センサが、透過型または反射型のフォトインタラプタからなり、前記前扉が閉位置に来たとき前記作用片により前記フォトインタラプタの光が遮光されることで検出動作する、ことを特徴とする上記（１）〜（５）のいずれかに記載の遊技機。
【００１９】
（７）前記折り曲げ部の面内領域には、前記センサ取付け部として取付け穴が形成されており、その取付け穴に前記フォトインタラプタの取付け脚が着脱可能に取り付けられている、ことを特徴とする上記（６）に記載の遊技機。
【発明の効果】
【００２０】
本発明の開閉操作用構造によれば、リフトガイド部材の下面に金属フレームを折り曲げ加工して形成した折り曲げ部が、リフトガイド部材の補強板としての役目をするだけでなく、施錠機構のフックが係合するフック止めとしての役目を果たす。このため、リフトガイド部材のための補強板およびフック止めの各要素を、それぞれ単独に設ける場合に比べ、これらの要素の曲げ加工の工数が少なくなると共に、材料費も少なくて済むという利点が得られる。
さらにまた本発明においては、上記折り曲げ部の面内領域が、前扉の閉位置を検出するセンサのためのセンサ取付け部としての役目をなす。この構造の下においては、リフトガイド部材のための補強材、センサ取付け部、フック止めといった各要素が、それぞれ単独に設ける場合に比べ、曲げ加工工数が少なくなり、材料費も少なくて済むという利点が得られる。
【図面の簡単な説明】
【００２１】
【図１】本発明の一実施形態に係る遊技機の全体構成を示す図である。
【図２】図１に示した遊技機における筐体側の正面図である。
【図３】図１に示した遊技機の開閉操作用構造を示す斜視図である。
【図４】図１に示した遊技機の筐体側の金属フレームを示した背面図である。
【図５】図１に示した遊技機の前扉側の金属フレームを示した背面図である。
【図６】図１に示した遊技機の開閉操作用構造を、前扉を少し開いた状態で示した部分斜視図である。
【図７】図１に示した遊技機の開閉操作用構造を、前扉を閉じた状態で示した部分斜視図である。
【図８】図１に示した遊技機の前扉側の金属フレームをこれに取り付けた要素と共に示した部分斜視図である。
【図９】前扉側の金属フレームと筐体側の金属フレームを、前扉が閉じたときの位置関係で示した部分斜視図である。
【図１０】図９の前扉側の金属フレームと筐体側の金属フレームの部分を背面側から見た図である。
【図１１】図３に示した遊技機の錠装置の一部を示す斜視図である。
【図１２】比較例の遊技機の開閉操作用構造を示した部分斜視図である。
【発明を実施するための最良の形態】
【００２２】
以下、本発明の遊技機の実施形態を、図面を参照しながら詳細に説明する。ここでは遊技媒体に遊技メダルを用いる回胴式遊技機を例にする。図１は本発明の一実施形態に係る回胴式遊技機の外観を示す斜視図であり、図２は回胴式遊技機の筐体側を示す正面図である。
【００２３】
この回胴式遊技機は、図１に示すように、前面側が開放された矩形状の筐体１と、その筐体１の前面側を覆う矩形状の前扉２とを備えている。
【００２４】
＜筐体１＞
筐体１は木製で、左右の側板３、４の上端同士および下端同士を上板５及び底板６で連結し、背面側を背板７で覆うことにより、前側が開放された箱形に形成されている。
【００２５】
図２に示すように、この筐体１の高さ方向のほぼ中央より少し下側（下方から略三分の一程度）の部位には、左右の側板３、４の間に、水平方向に金属製の中間棚８が渡してあり、この中間棚８上に、横並びに３個の回胴９を並置した構造の回胴装置ユニット１０が、着脱可能に取り付けてある。
【００２６】
各回胴９は、その外周に複数種類の図柄が表示された図柄配列帯を有しており、各回胴９の停止時の上記図柄の組み合せによって遊技結果を表示する。この各回胴９は、それぞれ図示してないパルスモータにより回転駆動され、上記図柄が変動表示可能となっている。
【００２７】
また筐体１の底板６には、投入された遊技メダルを貯留すると共に、メダル受け皿３５（図１参照）に遊技メダルを払い出し可能な遊技メダル払出装置１１とが取り付けられている。この遊技メダル払出装置１１は、払い出し用の遊技メダルを貯留するメダルホッパー１２、このメダルホッパー１２内の遊技メダルを払い出す遊技メダル払出装置本体１３、メダルホッパー１２から溢れたメダルを遊技メダル補助収納庫１４側に排出する余剰遊技メダル排出口１５等を備え、底板６上に着脱自在に装着されている。
【００２８】
さらに筐体１内には、電源装置１６、遊技動作制御全般を司る主制御基板１７、出玉率に変化をもたらす（いわゆる「設定」の変更、決定等を行う）回胴設定基板（操作基板）１８、遊技メダル払出装置１１を駆動制御するメダル払出制御基板（図示はしていない）等、遊技動作制御に供する各種制御基板が基板ケースに収納されて配置されている。
【００２９】
電源装置１６は筐体１の左側板３の下部に、また主制御基板１７および回胴設定基板１８は背板７の前面側で且つ回胴装置ユニット１０の上側に、それぞれ着脱自在に装着されている。
【００３０】
＜前扉２＞
前扉２は合成樹脂製であり、その左右の側縁の一側（ここでは左側縁）が筐体１の左右の側縁の一側（ここでは左側縁）に、ヒンジ（図示はしていない）を介して枢着され、筐体１の前側開口を開閉可能に覆っている。
【００３１】
図１に示すように、前扉２には、第１の表示窓（回胴視認部）１９と第２の表示窓（液晶画面視認部）２０を上下に設けてある。
【００３２】
下側の第１の表示窓１９は回胴視認部であり、遊技機のほぼ中央部に設けてあり、上記した回胴装置ユニット１０の３個の回胴９を、この回胴視認部１９に臨ませて、遊技者側から視認し得るようになっている。
【００３３】
図示はしてないが、回胴視認部１９には、ここを横および斜めに横断する形で計５本の入賞ラインが施されている。これらの入賞ラインは、単位遊技（１ゲーム）に対する遊技メダルの投入枚数（賭け数）に応じてそれぞれ有効になる。この有効となった入賞ライン上で、３つの回胴９が停止した際の停止図柄の組み合わせが、当選した入賞役と一致した場合に入賞が確定し、上記停止図柄の組み合わせに応じた遊技価値が遊技者に付与される。
【００３４】
また、第２の表示窓２０は液晶画面視認部であり、遊技機の中央より上側に設けてある。この液晶画面視認部２０は、前扉２の裏側に装着された液晶表示装置（ＬＣＤユニット）２２の表示画面２３に対応して、例えば回胴視認部１９よりも少し小さい矩形状に形成されている。遊技者はこの液晶画面視認部２０を介して液晶表示装置２２の表示画面２３を前側から視認可能となっている。この液晶表示装置２２の表示画面２３には、遊技に伴う演出が画像表示されると共に、過去の遊技の履歴、クレジット数、遊技メダルの投入枚数、入賞による払い出し枚数等の遊技情報も表示される。
【００３５】
回胴視認部１９の左右側には、ＬＥＤを内蔵し、光の装飾により遊技に伴う演出を現出する装飾ランプ部２４が設けられている。
【００３６】
また液晶画面視認部２０の下方の段部には、遊技に供する遊技媒体としての遊技メダルを投入するためのメダル投入口２５と、貯留装置（遊技機に投入された遊技メダル、または入賞によって獲得した遊技メダルを貯留して、その貯留数を電磁的方法よって記憶可能とする機能を備えた装置）に貯留された範囲、すなわちクレジットされた範囲内で、遊技メダルを最大枚数賭けで一度に擬似投入し得るＭＡＸＢＥＴボタン２７と、押した回数に応じて最大賭け枚数まで加算的に擬似投入し得る貯留メダル投入ボタン２８と、クレジットされた遊技メダルの精算を行う貯留メダル精算ボタン２９とが設けられている。
【００３７】
さらにまた、回胴視認部１９の下側に横長状に設けられた操作パネル部３０には、メダル投入口２５内に詰まったメダルを返却させるための返却ボタン２６、回胴９の回転を一斉に開始させるための回胴回転始動レバー３１、および各回胴９の回転を個別に停止させるための３個の回胴回転停止ボタン３２等が設けられている。また操作パネル部３０の右側には、鍵穴３３が設けられている。この鍵穴３３は、後述する錠装置３８の錠シリンダ８１の先端に設けられているものである。また、鍵穴３３は、前扉２を解錠するためのものであり、この穴に所定の鍵を差し込んで回すと、前扉２の錠装置における施錠機構のロックが解除される。
【００３８】
また操作パネル部３０の下方には、遊技機をアピールするための装飾が施された装飾パネル部３４が設けられている。
【００３９】
装飾パネル部３４の下方には、前扉２と一体的に装着された横長状のメダル受け皿３５が設けられ、このメダル受け皿３５には、上記遊技メダル払出装置１１から払い出された遊技メダルや返却された遊技メダルを前側に排出するための遊技メダル払出口３６が開口している。
【００４０】
また、前扉２の前面上部両側および前面下部両側には、遊技に伴う演出効果音を外部に出力する音響出力部としてのスピーカ３７が設けられている。
【００４１】
＜開閉操作用構造＞
次に、前扉２の開閉操作用構造について説明する。
【００４２】
図３に示すように、遊技機は、錠装置３８として、遊技機の右側部の上部付近と下部付近の２箇所において、前扉２の開閉側を前扉２の閉位置で筐体１に施錠する施錠機構３９、４０と、この施錠機構３９、４０を外部から差し込んだ鍵により操作する力伝達機構４１を有している。この錠装置３８の詳細は後述する。
【００４３】
また、図７に示すように、上側の施錠機構３９を設けた上部付近には、前扉２の側縁のヒンジとは反対側の開閉側を閉位置で少し持ち上げるためのリフトガイド機構４２と、前扉２を確実に閉じた閉位置を検出する開閉検出機構４３とが設けられている。上記したリフトガイド機構４２、開閉検出機構４３および施錠機構３９は、この順序で上から下方向に順次設けられる。
【００４４】
（リフトガイド機構４２）
リフトガイド機構４２は、図６に示すように、前扉２側に設けられた被ガイド部材としてのローラ４４と、筐体１側に設けられ、前扉２を閉じるときに前扉２側のローラ４４が乗り上げて、前扉２の開閉側をヒンジ側に対して少し持ち上げるように作用するリフトガイド部材としてのローラ受け金具４５とで構成される。
【００４５】
前扉２の右側すなわち開閉側の後面には、図４に示す上下に長い金属フレーム４６が上下方向に延在して設けられている。この金属フレーム４６は、図６に示すように、取付け基部４７と、その取付け基部４７の両縁からそれぞれ直角に後方向に断面コの字状に折れ曲がった支持壁部４８、４９とを有する。金属フレーム４６は、取付け基部４７が前扉２の右側板にネジ止めされ、これにより支持壁部４８は前扉２の右側板２ａの面に対接し、支持壁部４９は前扉２の右側板２ａから取付け基部４７の幅だけ内側にずれて位置している。
【００４６】
上記金属フレーム４６の支持壁部４９には、この支持壁部４９を後側方向にさらに延出させた延出部５０に、リフトガイド機構４２のローラ取付け部５１、開閉検出機構４３の作用片５２、施錠機構３９のフック取付け部５３および補強部５４が形成されている。上側に位置するリフトガイド機構４２のローラ取付け部５１が最も長く延出しており、次いで下側に位置する補強部５４が長く、中間に位置する作用片５２およびフック取付け部５３が最も短くなっている。
【００４７】
リフトガイド機構４２においては、図８から分かるように、前扉２側のローラ取付け部５１の先端部に、ディスク状のローラ４４が、ローラ取付け部５１の面に立設した軸５５を中心として回転自在に取り付けてあり、ローラ４４の下端はローラ取付け部５１の下辺よりも少し下方に突出している。
【００４８】
一方、筐体１側の右側すなわち開閉側の後面には、図５に示す上下に長い金属フレーム５６が、上下方向に延在して設けられている。この金属フレーム５６の上部付近には、図６に示すように、ローラ４４が乗り上げるリフトガイド部材として、ローラ受け金具４５が一体に固定されている。
【００４９】
このローラ受け金具４５は、筐体１の前側から奥側に延在するガイド板５８からなり、このガイド板５８の前面側には斜め下がりの傾斜部（誘導板部）５９が形成されてしている。ガイド板５８には、筐体１側への取付け部として、曲げ加工によりガイド板５８の一側縁から上方に直角に起立する起立部６０が形成されている。ガイド板５８は、この起立部６０にて金属フレーム５６に一体に固定されていると共に、筐体１の右側板４にネジ止めされている。このようにガイド板５８に曲げ加工により起立部６０を形成し、この起立部６０を金属フレーム５６に固定しかつ筐体１にネジ止めすることにより、ガイド板５８が筐体側に強固に取り付けられる。
【００５０】
上記構成において、前扉２を開く際は、ローラ４４がローラ受け金具４５の傾斜した誘導板部５９を滑り降りてローラ受け金具４５と接触しなくなる。
【００５１】
また前扉２を閉じる際は、ローラ４４がローラ受け金具４５の傾斜した誘導板部５９を登ることで、前扉２の開閉側の下端が筐体１に接触しないような所定高さまで上側に持ち上げられ、次いで図７に示すように、ローラ４４がガイド板５８上を後方に移動する。これにより、前扉２はその開閉側が自然に所定高さに持ち上げられてから奥方向に完全に閉じられ、その高さに保持される（図７参照）。なお、前扉２を閉じた位置では、図９に示すように、上側のローラ取付け部５１と中間の作用片５２との間に形成した窪み６１内に、ローラ受け金具４５が入り込むようになっている。
【００５２】
さらに上記ガイド板５８の下面には、補強用の折り曲げ部６２が、ガイド板５８の下面および筐体の側板の面にそれぞれ直交するように設けられている。この折り曲げ部６２は金属フレーム５６の側縁側の一部を直角に折り曲げて起立させた起立壁からなる。この折り曲げ部６２は、ガイド板５８の剛性を高める補強部材として設けられているが、後述するように、フック止め７０およびセンサ６４の取付け部としての役目も兼ねており、前扉２を閉じた際には、延出部５０のローラ取付け部５１と補強部５４の間に形成される凹所６３（図９参照）に入り込むようになっている。すなわち、折り曲げ部６２は、この凹所６３に入り込んで補強部５４と直角に交差して位置することになる。
【００５３】
本実施形態の場合、上記折り曲げ部６２はローラ受け金具４５の下面に一体的に固定することで、ローラ受け金具４５をより強固に補強している。しかし、この折り曲げ部６２は、ローラ受け金具４５の下面に固定せずに、単に下面を支持してローラ受け金具４５を補強する形態とすることもできる。
【００５４】
（開閉検出機構４３）
開閉検出機構４３は、図６に示すように、前扉２側の上記金属フレーム４６の延出部５０に形成した作用片５２と、筐体１側の上記折り曲げ部６２に取り付けられ、前扉２が閉位置に来たとき上記作用片５２により検出動作するセンサ（フォトインタラプタ）６４とで構成される。
【００５５】
すなわち、前扉２側においては、金属フレーム４６の延出部５０において、フック取付け部５３の上側に残る板状の残余部分により作用片５２が形成されている。一方、筐体１側においては、上記折り曲げ部６２の面内領域がセンサ取付け部として機能し得るように、比較的大きな面規模を有するように形成されている。そして、この折り曲げ部６２の面内領域には、センサ取付け部として取付け穴６５が形成されており、その取付け穴６５に透過型のフォトインタラプタ６４の取付け脚６６が着脱可能に取り付けられている（図６参照）。
【００５６】
このフォトインタラプタ６４は、前扉２が閉位置に来たとき、図９に示すように、前扉２側の上記作用片５２がフォトインタラプタ６４のコ字状アーム６７間に入り込み、その発受光素子間の光を遮光することにより検出動作する。なお透過型の替わりに、反射型のフォトインタラプタ６４を用いることもできる。
【００５７】
（施錠機構３９、４０）
施錠機構３９、４０は、図３に示すように、前扉２側に設けられ鍵から力伝達機構４１を介して操作されて施錠位置と開錠位置とに変位するフック６８、６９と、筐体１側に設けられ、施錠位置にてフック６８、６９が掛け止められるフック止め７０、７１とで構成される。
【００５８】
ここで、フック６８、６９はそれぞれ枢支ピン７２、７３に枢着されており、後端部がそれぞれ連結リンク７４、７５（図４参照）に連結されていて、筐体１側に設けたフック止め７０、７１（図５参照）と係合可能になっている点で共通する。しかし、上側の施錠機構３９は、そのフック６８を受けるフック止め７０が、次に述べるように折り曲げ部６２を利用した構成となっている点で、下側の施錠機構４０と相違している。
【００５９】
すなわち、図８に示すように、前扉２側の上記金属フレーム４６のフック取付け部５３には、施錠機構３９のフック６８の基部側が、枢支ピン７２により上下に揺動自在に取り付けられている。フック６８は、枢支ピン７２より先端側の中央部に上方から切り欠いた施錠用凹部７６からなる被係合部を有すると共に、それより先端側にかけて斜め下向きに形成した傾斜ガイド面７７を有する。換言すれば、フック６８は三角形頭部を有し、その元部の略上半分に施錠用凹部７６を有する。
【００６０】
フック６８の枢支ピン７２より後端側は、支持壁部４９と平行に上下方向に走る連結リンク７４の上端に、連結ピン７８により枢着されている。この連結リンク７４は、後述するように、他の連結リンク７５、連結リンク７９と共に力伝達機構４１の一部を構成している。
【００６１】
そして、この連結リンク７４を上下動することにより、枢支ピン７２を中心として、フック６８の先端側が上下方向に揺動するようになっている。連結リンク７４を上に移動させたときフック６８が下がり過ぎると不都合であるため、この下動する範囲を所定の下位置に制限すべく、突起からなるストッパ８０が補強部５４の面に形成されている。
【００６２】
一方、筐体１側においては、図６に示すように、ローラ受け金具４５に設けた補強用の上記折り曲げ部６２の下辺が、フック止め７０として機能するように構成されている。すなわちガイド板５８の下面に設けた折り曲げ部６２が、金属フレーム５６の縦方向の縁５６ａから直角に起立され、ほぼ前面側と平行に上下に延在するように配向されており、かつ、所定長さだけ上下方向に延在し、下辺はほぼ水平方向に略直線状をなしている。
【００６３】
このため、フック６８は、枢支ピン７２を中心として先端部が上昇すると、フック６８の施錠用凹部７６が折り曲げ部６２の下辺のフック止め７０と係合し、施錠状態（施錠位置）になる（図７、図９、図１０参照）。またフック６８は、枢支ピン７２を中心として先端部が下降すると、フック６８の施錠用凹部７６が折り曲げ部６２の下辺から離れ、解錠状態（解錠位置）となる。
【００６４】
（錠装置３８）
錠装置３８は、図３、図４、図１１に示すように、力伝達機構４１の要素として、鍵穴３３により差し込んだ鍵により回転可能な錠シリンダ８１と、この錠シリンダ８１を経由して回転するカム板８２と、カム板８２の回転運動により上下方向に移動して、施錠機構３９、４０のフック６８、６９を施錠位置または解錠位置に移動させる連結リンク７９、７４、７５（図４、図８、図１０、図１１参照）とを有している。
【００６５】
図１１に示すように、金属フレーム４６はその取付け基部４７における上下方向の中間部８３が幅広に形成され、この中間部８３に図１１に示す錠シリンダ８１が取り付けられている。錠シリンダ８１の錠軸８４は金属フレーム４６を貫通して内側に現れ、その錠軸８４の端部に、図４に示すようにカム板８２が固定されている。このカム板８２に連結リンク７９の中央部が係合され、カム板８２の回転が連結リンク７９の上下運動に変化されるように構成されている。この連結リンク７９の上端に、上記施錠機構３９の連結リンク７４の後端が連結され、下端に上記施錠機構４０の連結リンク７５の上端が連結されている。
【００６６】
カム板８２は、鍵により錠シリンダ８１の錠軸８４を時計方向に回動したとき、連結リンク７９を下方へ摺動させる。これに連行されて連結リンク７４、７５が下方へ移動することにより、フック６８、６９を施錠動作させる。またカム板８２は、錠軸８４を反時計方向に回動したとき、連結リンク７９、７４、７５を上方に摺動させ、施錠機構３９、４０のフック６８、６９を解錠動作させる。連結リンク７９、７４、７５は図示してないコイルバネにより常に下方に弾性付勢されており、このためフック６８、６９もコイルバネにより常に上方（施錠方向）に弾性付勢され、フック６８、６９は通常は施錠位置にある。なお、連結リンク７９、７４、７５を上に移動させて解錠動作させたとき、フック６８、６９が枢支ピン７２、７３の回りに回動して下がるが、この下動する範囲は、上述のストッパ８０により所定の下位置（解錠位置）に制限される。
【００６７】
（作用）
次に上記構成の作用について説明する。
【００６８】
前扉２を開く場合は、手持ちの鍵を鍵穴３３に差し込んで、錠シリンダ８１の錠軸８４を反時計方向に回動させる。これによりカム板８２が反時計方向に回動し、連結リンク７９、７４、７５を上方へ摺動させ、フック６８、６９を枢支ピン７２、７３の回りに回動させて解錠位置に変位させる。この状態で前扉２を手前に引くことで、前扉２が開く。このとき前扉２側のローラ４４が筐体１側のローラ受け金具４５の誘導板部５９を滑り降りて、ローラ受け金具４５から外れる。また、前扉２側の作用片５２が筐体１側におけるフォトインタラプタ６４のコ字状アーム６７間から出て、遊技機の前扉２が解錠されたこと（解錠状態）が検出される。
【００６９】
前扉２を閉じる場合は、前扉２と筐体１の開閉側を合わせるように接近させる。前扉２が閉位置に近づくと、ローラ４４がローラ受け金具４５の誘導板部５９に乗り上げる。このため、前扉２の開閉側の下端が筐体１に接触しないような所定高さまで上側に持ち上げられる。次いでさらに前扉２を筐体１に接近させて閉位置にすると、扉側のローラ４４が筐体１側のガイド板５８の上を筐体１の後方に移動する。これにより前扉２は、その開閉側が自然に所定高さに持ち上げられてから、筐体１に突き合わせられ、その高さに保持される。したがって前扉２の容易な閉動作が確保される。
【００７０】
この前扉２が閉位置に近づくと、フック止め７０、７１の下縁にフック６８、６９の傾斜ガイド面７７が接触し、フック６８、６９の先端側が徐々に可動に押し下げられて回動する。そしてフック止め７０、７１の下縁が傾斜ガイド面７７を乗り越えて施錠用凹部７６内に落ち込む。すなわち、上側の施錠機構３９においては、フック６８の施錠用凹部７６が折り曲げ部６２の下辺からなるフック止め７０に係合して、施錠状態となる。また下側の施錠機構４０においては、フック６９がフック止め７１に係合して施錠状態となる。このとき、前扉２側の作用片５２が筐体１側におけるフォトインタラプタ６４のコ字状アーム６７間に入り込み、遊技機の前扉２が施錠されたこと（施錠状態）が検出される。
【００７１】
以上述べたように、本実施形態の遊技機の開閉操作用構造によれば、リフトガイド部材の下面側に設けた折り曲げ部６２が、３つの役目を果たす。第１は、リフトガイド部材の下面を支持する補強材としての役目であり、第２は、施錠機構３９のフック６８が係合するフック止め７０としての役目であり、第３は、フォトインタラプタ６４からなる閉位置検出用センサ６４の取付け部材としての役目である。
【００７２】
図１２に比較例を示す。この比較例では、リフトガイド部材８５のための補強材８６、センサ取付け部８７、フック止め８８といった各要素を、それぞれ単独に設けた構造となっている。このため比較例では、各要素ごとに形状の切り出しや曲げ加工等をする必要がある。しかしながら本発明では折り曲げ部６２が上記３つの役目を果たすため、比較例に比べこれらの要素の形状の切り出しや曲げ加工の工数が少なくなると共に、材料費も少なくて済む（製造費用削減）という利点が得られる。
【００７３】
上記実施形態では、本発明を回胴式遊技機に適用した例を示したが、開閉操作用構造を有する遊技機であれば、パチンコ機に代表される弾球遊技機やその他の遊技機にも同様に適用することが可能である。
【産業上の利用可能性】
【００７４】
本発明は、回胴式遊技機や弾球遊技機などの遊技機、特に筐体に取り付けられた前扉の開閉操作用構造に有用である。
【符号の説明】
【００７５】
１    筐体、
２    前扉、
３    側板、
４    側板、
５    上板、
６    底板、
７    背板、
８    中間棚、
９    回胴、
１０    回胴装置ユニット、
１１    装置、
１２    メダルホッパー、
１３    装置本体、
１４    メダル補助ケース、
１５    余剰メダル排出口、
１６    電源装置、
１７    主制御基板、
１８    設定基板（操作基板）、
１９    第１の表示窓（回胴視認部）、
２０    第２の表示窓（液晶画面視認部）、
２２    液晶表示装置（ＬＣＤユニット）、
２３    表示画面、
２４    装飾ランプ部、
２５    メダル投入口、
２６    返却ボタン、
２７    マックスベットボタン、
２８    貯留メダル投入ボタン、
２９    貯留メダル精算ボタン、
３０    操作パネル部、
３１    回胴回転始動レバー、
３２    回胴回転停止ボタン、
３３    鍵穴、
３４    装飾パネル部、
３５    メダル受け皿、
３６    遊技メダル払出口、
３７    スピーカ、
３８    錠装置、
３９、４０    施錠機構、
４１    力伝達機構、
４２    リフトガイド機構、
４３    開閉検出機構、
４４    ローラ、
４５    ローラ受け金具、
４６、５６    金属フレーム、
４７    取付け基部、
４８、４９    支持壁部、
５０    延出部、
５１    ローラ取付け部、
５２    作用片、
５３    フック取付け部、
５４    補強部、
５５    軸、
５７    金具、
５８    ガイド板、
５９    傾斜部（誘導板部）、
６０    起立部、
６１    窪み、
６２    折り曲げ部、
６３    凹所、
６４    センサ（フォトインタラプタ）、
６５    取付け穴、
６６    取付け脚、
６７    コ字状アーム、
６８、６９    フック、
７０、７１    フック止め、
７２、７３    枢支ピン、
７４、７５、７９    連結リンク、
７６    施錠用凹部、
７７    傾斜ガイド面、
７８    連結ピン、
８０    ストッパ、
８１    錠シリンダ、
８２    カム板、
８３    中間部、
８４    錠軸。
【図１】
2011067692.tif 000003
【図２】
2011067692.tif 000004
【図３】
2011067692.tif 000005
【図４】
2011067692.tif 000006
【図５】
2011067692.tif 000007
【図６】
2011067692.tif 000008
【図７】
2011067692.tif 000009
【図８】
2011067692.tif 000010
【図９】
2011067692.tif 000011
【図１０】
2011067692.tif 000012
【図１１】
2011067692.tif 000013
【図１２】
2011067692.tif 000014